(57)【要約】      （修正有）【課題】入力手段の乏しい機器であっても、相手方機器に対応した認証用のデータを入力して接続設定を構築することができる無線通信機器を提供する。【解決手段】  Ｂｌｕｅｔｏｏｔｈアダプタであるオーディオ変換アダプタ２にＬＥＤ４を設け、またワイヤレスヘッドホン３にＰＩＮ入力ボタン５を設ける。そして、変換アダプタ２に設けられたＬＥＤ４の点滅パターンに合わせて、接続要求側のＰＩＮ入力ボタン３を押下することにより、認証データの交換、共有化を実施する。【選択図】  図１
2007323339.tif 000002
【特許請求の範囲】
【請求項１】
デジタルデータを無線送信する送信機器と、受信する受信機器とで認証データを共有す
ることより無線接続を確立させて無線通信する無線通信装置において、
前記送信機器は、前記共有データに対応する所定の点滅パターンを点滅可能なＬＥＤと
、このＬＥＤの点滅パターンに対応する信号入力が前記受信機器から受信されたか否かを
検知する検知部と、この検知部より前記点滅パターンに対応する入力信号があった場合、
その入力信号を前記受信機器との無線接続のための認証データとして設定する設定部とを
有し、
前記受信機器は、前記送信機器の前記ＬＥＤの点滅パターンに合わせた入力信号を生成
可能な入力スイッチと、この入力スイッチによる入力信号を前記送信機器に無線送信する
無線通信部と、
を有することを特徴とする無線通信装置。
【請求項２】
前記送信機器は、前記ＬＥＤが前記共有データに対応する所定の点滅パターンを点滅す
るに先立ち点滅開始を示すための点滅パターンを点滅させることを特徴とする請求項１記
載の無線通信装置。
【請求項３】
前記送信機器は、前記ＬＥＤが前記共有データに対応する所定の点滅パターンの点滅が
終了したことを示すための点滅パターンを点滅させることを特徴とする請求項２記載の無
線通信装置。
【発明の詳細な説明】
【技術分野】
【０００１】
本発明は、認証情報の設定入力作業を実施することにより無線接続を構築する無線通信
装置に関し、認証情報の入力作業を実施するような入力手段として簡易な入力手段のみに
より設定入力作業を実施することができる無線通信装置に関するものである。
【背景技術】
【０００２】
近年、無線通信方式として、Bluetooth（登録商標、以下同様）方式を採用した無線通信機器が多数販売されてきている。Bluetooth方式は近距離無線方式のうちの１つで相手方の無線通信機器との無線接続構築に先だって相手方の無線通信装置に対応づけられたＰＩＮコードと呼ばれる認証情報を入力設定する必要がある。従って、ＰＣやオーディオプレーヤではキーボードやリモコンなどを用いてＰＩＮコードを入力し設定している。
【０００３】
しかし、ヘッドホンのように入力手段を持たない機器は、ＰＩＮコードを入力すること
ができないために、設定入力は、他の機器と接続して他の機器の入力手段を用いて設定す
るか、あるいは工場出荷時に予め特定のＰＩＮコードを設定しておき、特定の相手方機器
とのみであれば無線通信可能な状態としておく等で対応していた。
【特許文献１】特開２００５−２６７５８号公報（第１図）
【発明の開示】
【発明が解決しようとする課題】
【０００４】
しかし、上述した従来技術では、他の機器を接続する煩わしさや、相手方の無線機器を
選択することができないという利用制限などが生じてしまう。またはヘッドホンなどに入
力設定可能な入力キーを設けることもできるが、ヘッドホンなどの携帯機器に入力キーを
多数設けることはコストアップやデザイン面で劣るところが大きい。
【０００５】
そこで本発明は上述した課題を解決するため、入力手段の乏しい機器であっても、相手
方機器に対応した認証用のデータを入力して、接続設定を構築することができる無線通信
機器を提供することを目的とするものである。
【課題を解決するための手段】
【０００６】
本発明は上述したような課題を解決するため、デジタルデータを無線送信する送信機器と
、受信する受信機器とで認証データを共有することより無線接続を確立させて無線通信す
る無線通信装置において、前記送信機器は、前記共有データに対応する所定の点滅パター
ンを点滅可能なＬＥＤと、このＬＥＤの点滅パターンに対応する信号入力が前記受信機器
から受信されたか否かを検知する検知部と、この検知部より前記点滅パターンに対応する
入力信号があった場合、その入力信号を前記受信機器との無線接続のための認証データと
して設定する設定部とを有し、前記受信機器は、前記送信機器の前記ＬＥＤの点滅パター
ンに合わせた入力信号を生成可能な入力スイッチと、この入力スイッチによる入力信号を
前記送信機器に無線送信する無線通信部とを有するものである。
【０００７】
また本発明は上述した課題を解決するため、前記送信機器は、前記ＬＥＤが前記共有デ
ータに対応する所定の点滅パターンを点滅するに先立ち、点滅開始を示すための点滅パタ
ーンを点滅させるものである。
【０００８】
また本発明は上述した課題を解決するため、前記送信機器は、前記ＬＥＤが前記共有デ
ータに対応する所定の点滅パターンの点滅が終了したことを示すための点滅パターンを点
滅させるものである。
【発明を実施するための最良の形態】
【０００９】
以下、本発明における実施形態について図面を用いて説明する。
【００１０】
図１は本発明の無線通信機器の一実施形態を示す携帯型オーディオ機器の概念図である。
【００１１】
本実施形態の携帯型オーディオ機器は、音楽データが格納されたＨＤＤ（ハードディス
クドライブ）等を搭載し、ＨＤＤから読み出した音楽データを再生するオーディオプレー
ヤ本体１と、このオーディオプレーヤ１にケーブル接続され、再生した音声データをＢｌ
ｕｅｔｏｏｔｈ方式に基づいて無線通信するオーディオ変換アダプタ２と、オーディオ変
換アダプタから無線送信された音声データを受信して、音声出力するワイヤレスヘッドホ
ン３とから構成される。
【００１２】
このようなシステム構成で、Ｂｌｕｅｔｏｏｔｈ方式による無線通信を構築する際には
、接続受け入れ側（アクセプタ側）となるオーディオ変換アダプタ２と、接続要求側（イ
ニシエータ側）となるワイヤレスヘッドホン３との間でＰＩＮコードと呼ばれる認証デー
タを共有する必要がある。そのためオーディオ変換アダプタ２が自身のＰＩＮコードが何
であるかを認識可能に出力する必要があり、一方でワイヤレスヘッドホン３は、オーディ
オ変換アダプタ２のＰＩＮコードを入力設定する必要がある。
【００１３】
そこで本実施形態では、オーディオ変換アダプタ２にＬＥＤ４を設け、またワイヤレス
ヘッドホン３にＰＩＮ入力ボタン５を設ける。そして、変換アダプタ２に設けられたＬＥ
Ｄ４の点滅パターンに合わせて、接続要求側のＰＩＮ入力ボタン３を押下することにより
、認証データの交換、共有化を実施することを特徴とするものである。
【００１４】
以下、図２乃至図４を用いて、本実施形態を実現するためのシステム構成と動作手順に
ついて説明する。
【００１５】
図２は、本実施形態のオーディオ変換アダプタ（Ｂｌｕｅｔｏｏｔｈアダプタ）２と
、ワイヤレスヘッドホン（Ｂｌｕｒｔｏｏｔｈヘッドホン）３とを示すブロック図である
。
【００１６】
図２（ａ）に示すように、Ｂｌｕｅｔｏｏｔｈアダプタ（以下BTアダプタと称する）２
は、アプリケーション及びその無線通信部全体を制御するためのCPU１０ 、CPU１０が動
作する手順を記述及び各種固定データを格納したROM 11、CPUが動作する際に使用する作
業用メモリ RAM 12、オーディオプレイヤーからの音声を無線送信できるデジタル信号に
変換するためのオーディオ入力装置13、認証の状況などを示すためのLED 14、電源のOn/O
ff,各種モードを切り替えるためのスイッチ 15、BTアダプタを駆動する電力を供給するた
めの電源装置 16、無線通信を行うための無線通信部 17を有する。
【００１７】
また、図２（ｂ）に示すように、ワイヤレスヘッドフォン（以下ＢＴヘッドホンと称す）
として、コントローラ全体を制御するためのCPU 21、コントローラを制御する手順の記述
及び各種固定データを格納するROM 21、作業用メモリ RAM 22、送信されたデジタル音声
データを音声に変換するオーディオ出力装置23、ヘッドフォンの動作を設定、及び PINを
行うためのボタンを制御するスイッチ 24、ワイヤレスヘッドフォンを駆動するための電
力を供給する電源装置 25、BTアダプタとの無線通信を行うための無線通信部 26を具備す
る。
【００１８】
そして上述した２つのモジュール（ＢＴアダプタと、ＢＴヘッドホン）に基づいて認証デ
ータ（ＰＩＮコード）の交換、入力設定を行う。その動作について、アクセプタ側である
ＢＴアダプタと、イニシエータ側であるＢＴヘッドホンの動作に分けて以下に手順を説明
する。
【００１９】
図３は、アクセプタ側であるＢＴアダプタ２の動作を示すフローチャートである。
【００２０】
まずＢＴアダプタ２のスイッチ１５等を操作することにより、認証処理を開始させる（
ステップＳ３０）。認証処理が開始されると、ＣＰＵ１０は無線通信部１７を接続待ち状
態を遷移し、周囲の無線機器からの接続要求を待つ（ステップＳ３１）。そして周囲の無
線機器、具体的にはBTヘッドホン３からの接続要求があった場合、その要求を受け入れ、
ＢＴヘッドホン３との通信を確立させるための認証データの生成に移る（ステップＳ３２
）。ＢＴヘッドホン３との通信確立のために、CPU１０は、ＲＯＭ１１に記録されている
ＰＩＮコードの生成プログラムを起動し、所定のＰＩＮコード生成ルールに基づいて特定
のＰＩＮコードを決定する。このとき、ＢＴアダプタ２が固定ＰＩＮコードを採用してい
る機器の場合には、ＲＯＭに予め記録されているＰＩＮコードを読み出す（ステップＳ３
４）。
【００２１】
次に、この決定したＰＩＮコードを、ＬＥＤの点滅パターンとして変換しＬＥＤを点滅
されることとなるが、その前にユーザに対し、点滅が開始されることを示す入力動機のた
めの表示を行う（ステップＳ３４）。たとえばＬＥＤを常時点滅させた状態に切り替える
等して、次に点滅が始まった時にその点滅パターンがＰＩＮコードに対応させた点滅パタ
ーンであることを予告させるものである。そして、先に決定しＰＩＮコードをＬＥＤ１４
の点滅パターンに合わせて点滅させるー（ステップＳ３５）。PINコードと点滅パターン
の対応アルゴリズムは、たとえば、点灯時間と消灯時間の比、モールス符号の対応などに
基づいてＰＩＮコードに固有の点滅パターンを生成して点滅させる。
【００２２】
そしてＰＩＮコードに対応するＬＥＤの点滅を終了したら、終了を示すＬＥＤ表示を行
う（ステップＳ３６）。たとえば十分に長い点灯をさせたり、あるいは消灯させたりする
ことで終了を知らせる。そして、ＰＩＮコードに対応する点滅パターンに基づく認証キー
がＢＴヘッドホンから送信されてくることを待つ（ステップＳ３７）。ＢＴヘッドホン３
から認証キーとなるキー入力バターン信号か送信されてくると、無線通信部１７で認証キ
ーを受信し受信した認証キーを用いてＣＰＵ１０が認証処理を実行する（ステップＳ３８
）。そしてＢＴアダプタ２とＢＴヘッドホン３との無線接続が確立し、オーディオプレー
ヤ１からの音声データをBTアダプタ２を介してＢＴヘッドホン３に対して無線送信するこ
とが可能となる。
【００２３】
次に、図４を用いて、イニシエータ側であるＢＴヘッドホン３の動作手順を説明する。
【００２４】
まず、ＢＴヘッドホンの電源ボタンを押下するなどの操作により認証処理を開始させる
（ステップＳ４０）。次にＢＴアダプタ２が接続末状態に遷移した後に、ＢＴヘッドホン
から接続要求を出す（ステップＳ４１）。この接続要求は、電源ボタン押下のあと所定時
間経過したら自動的に接続要求を出力する、またはＰＩＮ入力用ボタンの押下等により出
力される。
【００２５】
そして、ＢＴアダプタとの接続が完了した場合、BTヘッドホンの初期情報をＲＯＭ２１
から読み出し、無線通信部２６を介してＢＴアダプタ２に無線送信しＢＴアダプタ２との
接続が完了すると、BTアダプタ２に設けられたＬＥＤ１４の点灯、点滅パターンの出力を
待つ（ステップＳ４２）。そしてＢＴアダプタ２の点滅パターンのスタートをケンした後
に、ＰＩＮコード認識のための処理に移行する（ステップＳ４３）。そしてユーザがＰＩ
Ｎ入力用ボタン２４を、ＬＥＤ１４の点滅パターンに対応させてＯＮ、OFF操作を実行す
る。ＣＰＵ２０は、ＰＩＮ入力ボタン２４のＯＮの時間からＰＩＮコードを生成する（ス
テップＳ４４）。そして、ＢＴアダプタ２のＬＥＤが点滅パターン終了を示す点灯などに
切り替わったことを確認後、ＰＩＮ入力ボタンをもちいてＰＩＮから生成した認証キーを
無線送信する。無線送信するためのＰＩＮ入力ボタンの押下要領は予め決められており、
たとえば所定時間以上の押下継続があった場合、または一定時間キー入力が発生していな
い等のイベントを検知することにより認証キーの無線送信指示であるとしておけばよい。
【００２６】
以上により、ＢＴアダプタと、ＢＴヘッドホンが認証キーを共有することができ、Ｂ
ｌｕｅｔｏｏｔｈ方式による無線接続が確立し、オーディオプレーヤからの音声データの
無線送信が可能となる。
【００２７】
上述した実施形態では、ＬＥＤにてアクセス側のＰＩＮを示していたが、これを音の
発生パターンにより示しても同様の効果を得ることができる。
【００２８】
以上説明したように本実施形態によれば、接続の受け入れ側すなわちＢＴアダプタ側
には、認証を開始するための起動手段があれば良いので、片側（ＢＴヘッドホン側）だけ
の操作で認証処理が可能となる。さらにＬＥＤ点滅の規則性を一般化（モールス符号、一
定時間の点滅回数など）することにより、単純な固定ＰＩＮコードよりもセキュリティ上
安全に運用することも可能となる。
【図面の簡単な説明】
【００２９】
【図１】本発明の一実施形態を示す無線送信装置を示す概念図である。
【図２】同実施形態における無線送信装置のシステム構成図である。
【図３】同実施形態における無線送信装置の動作手順を示すフローチャートである。
【図４】同実施形態における無線受信装置の動作手順を示すフローチャートである。
【符号の説明】
【００３０】
１…オーディオプレーヤ本体、２…オーディオ変換アダプタ、３…ワイヤレスヘッドホン
、４…ＬＥＤ、５…ＰＩＮコード入力ボタン。
【図１】
2007323339.tif 000003
【図２】
2007323339.tif 000004
【図３】
2007323339.tif 000005
【図４】
2007323339.tif 000006